(57)【要約】【課題】簡単な構成で、収容室に収容された電池が不用意に外部に脱落するのを防止するとともに、電池を収容室からスムーズに取り出すことのできる電池ホルダーを提供する。【解決手段】本発明における電池ホルダーは、電池を収容する収容室１を備え、収容室は、電池１０を出し入れ可能な開口端面２と、電池を保持する上面部６及び下面部７、並びに互いに対向する第１及び第２の側面部４、５とを有し、第１の側面部４の内壁には、開口端面側の端部を含む部位に突出部４ａが形成され、第２の側面部５には、開口端面側の端部を含む部位に、外側に変形可能な可撓部５ａが形成され、上面部６及び／又は下面部７には、開口端面と反対側の第３の側面部３から開口端面に向かって、電池の一部の部位まで伸びるスリット１１が形成されており、可撓部の端部は、突出部よりも第３の側面部側に位置し、スリットは、電池の中心線よりも第２の側面部側に位置している。【選択図】図１
2015170517.tif 000002
【特許請求の範囲】
【請求項１】
ボタン電池を収容する収容室を備えた電池ホルダーであって、
前記収容室は、
前記ボタン電池を、該電池の側面から出し入れ可能な開口端面と、
前記ボタン電池の平面及び側面を保持する、上面部及び下面部、並びに互いに対向する第１の側面部及び第２の側面部と、
を有し、
前記第１の側面部の内壁には、前記開口端面側の端部を含む部位に、前記収容室の内側に向けて突出する突出部が形成され、
前記第２の側面部には、前記開口端面側の端部を含む部位に、前記収容室の外側に変形可能な可撓部が形成され、
前記上面部及び／又は前記下面部には、前記開口端面と反対側の第３の側面部から、前記開口端面に向かって、前記ボタン電池の一部の部位まで伸びるスリットが形成されており、
前記可撓部の前記開口端面側の端部は、前記突出部よりも前記第３の側面部側に位置し、
前記スリットは、前記ボタン電池の中心を通り、前記第１及び第２の側面部に平行な中心線よりも、前記第２の側面部側に位置している、電池ホルダー。
【請求項２】
前記可撓部は、前記第２の側面部に、前記開口端面側の端部から前記第３の側面側に伸びる一対の切り欠きが形成された構成をなす、請求項１に記載の電池ホルダー。
【請求項３】
前記収容室は、前記ボタン電池の平面または側面の少なくとも一方を付勢する弾性片をさらに有している、請求項１に記載の電池ホルダー。
【請求項４】
前記スリットの幅は、ＩＥＣで規定されるテストフィンガーの直径５．６ｍｍよりも狭い、請求項１に記載の電池ホルダー。
【請求項５】
請求項１〜４の何れかに記載の電池ホルダーと、
前記電池ホルダーの前記収容室と連結し、前記ボタン電池を電源とする照明部と、
が一体形成された携帯照明装置であって、
前記収容室は、首かけ用紐の端部に設けられた保持部に、着脱可能に装着される、携帯照明装置。
【発明の詳細な説明】
【技術分野】
【０００１】
本発明は、ボタン電池を収容する収容室を備えた電池ホルダーに関する。
【背景技術】
【０００２】
ボタン電池を電源とする電子機器において、ボタン電池を保持した電池ホルダーを、電子機器に着脱可能に装着して使用する場合がある（例えば、特許文献１、２を参照）。ボタン電池は、電池ホルダーに保持された状態で、電子機器に装着されるため、装着中にボタン電池が電子機器の外部に脱落することはない。しかしながら、電池ホルダーを電子機器に着脱する際に、電池ホルダーが落下等した場合、その衝撃により、ボタン電池が電池ホルダーから脱落し、ボタン電池を紛失させるおそれがある。
【０００３】
特許文献３には、電池ホルダーの側壁に一対のスリットを設けて、そこを可撓部とするとともに、当該可撓部の内面に、電池保持用の突起を形成した電池ホルダーが記載されている。電池は、可撓部を外側に押し広げながら、電池ホルダーの収容室内に収容させる。収容室内に収容された電池は、可撓部の内面に形成された突起によって保持され、これにより、電池の脱落が阻止される。
【０００４】
また、特許文献４には、電池ホルダーの側壁の内側にラッチを配置し、当該ラッチが側壁とともに外方又は内方に弾力的に変位するとともに、ラッチの上端部に、電池を保持する係止爪を形成した電池ホルダーが記載されている。電池は、ラッチの上端部を外側に押し広げながら、電池ホルダーの収容室内に収容させる。収容室内に収容された電池は、ラッチ及びラッチの上端部に形成された係止爪によって保持され、これにより、電池の脱落が阻止される。
【先行技術文献】
【特許文献】
【０００５】
【特許文献１】特開平６−１６３０１６号公報
【特許文献２】特開平９−４５３０２公報
【特許文献３】実開昭５８−１７９７５５公報
【特許文献４】特開２０００−１６４１８８号公報
【発明の概要】
【発明が解決しようとする課題】
【０００６】
特許文献３及び４に記載された電池ホルダーは、確かに、簡単な構成で、収容室に収容された電池が不用意に外部に脱落するのを防止できる。しかしながら、電池を収容室内に収容するときは、電池で可撓部若しくはラッチを押圧することによって、可撓部若しくはラッチを容易に外方へ押し広げることができるが、電池を収容室から取り出すときは、手で可撓部やラッチを外方に押し広げなければならない。従って、電池をスムーズに収容室から取り出すことが難しく、また、可撓部若しくはラッチを押し広げたとき、いきなり突起若しくは係止爪による電池の保持がなくなるため、電池が電池ホルダーから落下して、電池を紛失させるおそれがある。
【０００７】
本発明は、かかる点に鑑みなされたもので、その主な目的は、簡単な構成で、収容室に収容された電池が不用意に外部に脱落するのを防止するとともに、電池を収容室からスムーズに取り出すことのできる電池ホルダーを提供することにある。
【課題を解決するための手段】
【０００８】
本発明に係る電池ホルダーは、ボタン電池を収容する収容室を備え、収容室は、ボタン電池を、該電池の側面から出し入れ可能な開口端面と、ボタン電池の平面及び側面を保持する、上面部及び下面部、並びに互いに対向する第１の側面部及び第２の側面部とを有し、第１の側面部の内壁には、開口端面側の端部を含む部位に、収容室の内側に向けて突出する突出部が形成され、第２の側面部には、開口端面側の端部を含む部位に、収容室の外側に変形可能な可撓部が形成され、上面部及び／又は下面部には、開口端面と反対側の第３の側面部から開口端面に向かって、ボタン電池の一部の部位まで伸びるスリットが形成されており、可撓部の開口端面側の端部は、突出部よりも第３の側面部側に位置し、スリットは、ボタン電池の中心を通り、第１及び第２の側面部に平行な中心線よりも、第２の側面部側に位置している。
【発明の効果】
【０００９】
本発明によれば、簡単な構成で、収容室に収容された電池が不用意に外部に脱落するのを防止するとともに、電池を収容室からスムーズに取り出すことのできる電池ホルダーを提供することができる。
【図面の簡単な説明】
【００１０】
【図１】本発明の一実施形態における電池ホルダーの構成を模式的に示した図で、（ａ）は上面図、（ｂ）は収容室の第２の側面部側からみた側面図、（ｃ）は図１（ａ）の線Ｉc−Ｉcに沿った断面図、（ｄ）は収容室の第３の側面部側からみた側面図である。
【図２】本発明の一実施形態における電池を収容室に収容する操作を示した上面図である。
【図３】（ａ）、（ｂ）は、収容室に電池に収容する際、電池を挿入する力の差を模式的に示した上面図である。
【図４】本発明の一実施形態における電池を収容室から取り出す操作を示した上面図である。
【図５】本発明の一実施形態における電池に加わる力を模式的に示した図で、（ａ）は電池を収容室に収容する際の上面図、（ｂ）は電池を収容室から取り出す際の上面図である。
【図６】本実施形態の変形例における電池ホルダーの構成を模式的に示した上面図である。
【図７】図７は、本実施形態の変形例における電池ホルダーの構成を模式的に示した図で、（ａ）は上面図、（ｂ）は第３側面部３側からみた側面図、（ｃ）は底面図である。
【図８】本発明における電池ホルダーを照明部と一体形成した携帯照明装置の構成を示した斜視図である。
【発明を実施するための形態】
【００１１】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１２】
図１は、本発明の一実施形態における電池ホルダーの構成を模式的に示した図で、図１（ａ）は上面図、図１（ｂ）は収容室１の第２の側面部５側からみた側面図、図１（ｃ）は図１（ａ）の線Ｉc−Ｉcに沿った断面図、図１（ｄ）は収容室１の第３の側面部３側からみた側面図である。
【００１３】
本実施形態における電池ホルダーは、ボタン電池を収容する収容室１を備えている。ここで、ボタン電池は、電池の形状がボタン型（薄型円筒形）の電池を総称した電池をいい、電池の種類は問わない。例えば、一次電池であっても、二次電池であってもよい。また、コイン型電池と称される電池も含む。以下、ボタン電池を単に「電池」という。
【００１４】
図１（ａ）〜（ｄ）に示すように、収容室１は、電池１０を、電池１０の側面から出し入れ可能な開口端面２と、電池１０の平面及び側面を保持する、上面部６及び下面部７、並びに互いに対向する第１の側面部４及び第２の側面部５とを有している。また、収容室１は、２個の電池１０が重ねられて収容できる空間を有している。
【００１５】
図１（ａ）に示すように、第１の側面部４の内壁には、開口端面２側の端部を含む部位に、収容室１の内側に向けて突出する突出部４ａが形成されている。また、図１（a）〜（ｃ）に示すように、第２の側面部５には、開口端面２側の端部を含む部位に、収容室１の外側に変形可能な可撓部５ａが形成されている。可撓部５ａは、第２の側面部５に、開口端面２側の端部から開口端面２と反対側の第３の側面部３側に伸びる一対の切り欠き２０が形成された構成をなす。
【００１６】
図１(ａ）、（ｄ）に示すように、収容室１の上面部６及び下面部７に、第３の側面部３から、開口端面２に向かって、電池１０の一部の部位まで伸びるスリット１１が形成されている。従って、電池１０が収容室１に収容された状態で、収容室１を上面部６側及び下面部７側から見たとき、電池１０の上面及び下面の一部がスリット１１から露出した状態になっている。
【００１７】
また、収容室１の上面部６には、電池１０の上面を付勢する弾性片１２が取り付けられ、第１の側面部４には、電池１０の側面を付勢する弾性片１３が取り付けられている。図１（ａ）に示すように、電池１０が収容室１内に収容された状態で、電池１０は、第１の側面部４に設けられた突出部４ａ、及び弾性片１２、１３によって、収容室１内で保持される。従って、一旦、開口端面２から収容室１内に収容された電池１０は、不用意に開口端面２から外部に脱落することはない。なお、電池１０の上面（又は下面）及び側面が、正極及び負極端子になっている場合には、弾性片１２、１３は、電池１０の正極及び負極に接続する電極端子を兼ねていてもよい。
【００１８】
本実施形態において、可撓部５ａの開口端面２側の端部は、図１（ａ）に示すように、突出部４ａよりも第３の側面部３側に位置している。また、スリット１１は、図１（ａ）に示すように、電池１０の中心を通り、第１及び第２の側面部４、５に平行な中心線Ｊよりも、第２の側面部５側に位置している。なお、本実施形態では、スリット１１は、開口端面２に向かって、第１及び第２の側面部４、５に平行に伸びている。
【００１９】
図２は、本実施形態において、電池１０を収容室１内に収容する操作を示した上面図である。なお、図２では、弾性片１２、１３を省略している。
【００２０】
図２に示すように、電池１０を開口端面２側から収容室１内に挿入するとき、電池１０の側面が、突出部４ａ及び可撓部５ａの内側に当たった後、可撓部５ａが、電池１０の押圧によって収容室１の外側に押し広げられながら、電池１０が収容室１内に収容される。電池１０が収容された後は、可撓部５ａは、元の位置に戻される。
【００２１】
ところで、図３（ａ）に示すように、可撓部５ａの開口端面２側の端部は、突出部４ａよりも第３の側面部３側に位置しているため、電池１０が挿入される開口幅Ａは、図３（ｂ）に示すように、可撓部５ａが突出部４ａと同じ高さにある場合の開口幅Ｂに比べて大きい。従って、図２に示すように、電池１０を矢印Ｐで示す斜め方向から挿入することによって、軽い力で電池１０を収容室１内に収容できる。
【００２２】
また、図３（ａ）に示すように、電池１０の側面が、突出部４a及び可撓部５ａに当たるところまで仮入れしたとき、電池１０が、収容室１の上面部６及び下面部７で保持される面積（図中の斜線部）は、図３（ｂ）に示すように、可撓部５ａが突出部４ａと同じ高さにある場合の面積（図中の斜線部）よりも大きい。従って、電池１０をスムーズに収容室１内に移動させることができる。これにより、余計な力をかけずに、電池１０を収容室１内に収容することができる。
【００２３】
図４は、本実施形態において、電池１０を収容室１から取り出す操作を示した上面図である。なお、図４では、弾性片１３を省略している。
【００２４】
図４に示すように、第３の側面部３から開口端面２に向かって伸びるスリット１１に、板状の治具３０を差し込み、この治具３０を、矢印で示す方向、つまり、開口端面２側に移動させることによって、電池１０を開口端面２から外に押し出すことができる。
【００２５】
このとき、治具３０を、スリット１１の内側面に沿わせて移動させれば、スリット１１がガイドとなって、治具３０を、矢印の方向にスムーズに移動させることができる。これにより、余計な力をかけずに、電池１０の一部を確実に開口端面２から外に押し出すことができる。
【００２６】
なお、スリット１１の幅は特に制限されないが、ＩＣＥ（International Electrotechnical Commission）61032で規定された１〜３歳児の指に見立てたテストフィンガーの直径５．６ｍｍよりも狭いことが好ましい。これにより、幼児が不用意に操作して、電池１０を取り出し、誤飲するのを防止することができる。
【００２７】
押し出された電池１０は、開口端面２から外部に一部露出した電池１０を、例えば、指で摘んで、収容室１から容易に引き出すことができる。なお、電池１０の開口端面２からの露出量は、スリット１１の開口端面２側の端部の位置を調整することによって、容易に設定することができる。
【００２８】
なお、治具３０を使って、電池１０の一部を開口端面２から押し出して、電池１０の一部を外部に露出させたとき、電池１０を弾性片１２で付勢された状態に維持しておけば、電池１０が収容室１から飛び出して、電池１０を紛失するおそれはない。具体的には、図４に示すように、弾性片１２の電池１０に対する付勢箇所１２ａを、スリット１１の開口端面２側の端部１１ａよりも、開口端面２側に設定すればよい。これにより、治具３０をスリット１１の開口端面２側の端部１１ａまで移動させても、弾性片１２の付勢箇所１２ａは、電池１０の上面に位置しているため、開口端面２から外部に押し出された電池１０に対して、弾性片１２による付勢が維持されている。そのため、治具３０を使って、電池１０の一部を開口端面２から押し出したとき、電池１０が収容室１から飛び出すおそれはない。
【００２９】
図５（ａ）、（ｂ）は、それぞれ、電池１０を収容室１内に収容するとき、及び、電池１０を収容室１から取り出すときとの、電池１０に加える力を示した上面図である。なお、図５（ａ）、（ｂ）では、弾性片１２、１３を省略している。
【００３０】
電池１０を収容室１内に収容するときは、図３（ａ）に示したように、電池１０が挿入される開口幅が最も大きくなる方向、すなわち、図２に示した矢印Ｐの斜め方向から電池１０を挿入すると、最も小さな力で収納することができる。すなわち、図５（ａ）に示すように、電池１０を矢印で示す方向の力Ｆａで押すことによって、最も小さな力で収容室１内に収容できる。
【００３１】
一方、電池１０を収容室１から取り出すときは、図５（ｂ）に示すように、スリット１１は、電池１０の中心を通る中心線Ｊよりも、第２の側面部５側に位置しているため、スリット１１に治具３０を差し込んで、電池１０を押し出すときの電池１０に加わる力Ｆｂは、突出部４ａの方向に働く。従って、電池１０は、突出部４ａによって拘束されているため、電池１０を取り出すためには、可撓部５ａを外側に押し広げる力、すなわち、電池１０を収容するときの力Ｆａと反対方向の分力Ｆｂ１を利用する必要がある。そのため、Ｆａと同じ大きさの力Ｆｂ１で、可撓部５ａを外側に押し広げるためには、電池１０を押し出すときの力Ｆｂは、電池１０を収容するときのＦａよりも大きな力を要する。
【００３２】
このように、本実施形態においては、軽い力Ｆａで電池１０を収容室１内に収容できる一方、収容するときの力Ｆａよりも強い力Ｆｂでないと、電池１０を取り出すことができない。これにより、収容室１に収容された電池１０が不用意に取り出されるのを防止できる。また、電池１０を取り出すときは、治具３０を使って、スリット１１をガイドにしながらスムーズに行うことができる。さらに、収容室１内に収容された電池１０は、突出部４ａによって拘束されているため、電池ホルダーが落下等しても、その衝撃により、電池１０が脱落するのを防止できる。
【００３３】
本実施形態では、スリット１１を、開口端面２に向かって、第１及び第２の側面部４、５に平行に伸びた形状にしたが、図６に示すように、スリット１１を、第３の側面部３から、開口端面２に向かって、第２の側面部５側から第１の側面部４側に傾斜して伸びた形状にしてもよい。
【００３４】
図７は、本実施形態の変形例における電池ホルダーの構成を模式的に示した図で、図７（ａ）は上面図、図７（ｂ）は第３の側面部３側からみた側面図、図７（ｃ）は底面図である。
【００３５】
本変形例では、図１（ａ）〜（ｄ）に示した実施形態と、スリット１１の形態が異なる。
【００３６】
本変形例では、図７（ａ）〜（ｃ）に示すように、収容室１の下面部７に、第３の側面部３から開口端面２に向かって、電池１０の一部の部位まで伸びるスリット１１が形成されている。すなわち、図７（ｃ）に示すように、電池１０が収容室１に収容された状態で、収容室１を下面部７側から見たとき、電池１０の下面の一部がスリット１１から露出した状態になっている。なお、図７（ｂ）に示すように、２個の電池１０を同時に取り出すためには、収容室１を第３の側面部３側から見たとき、少なくとも、両方の電池１０の側面の一部がスリット１１から露出した状態になっている必要がある。
【００３７】
本変形例は、例えば、収容室１の上面部６に、弾性片１２とは別の位置にスリット１１を形成するスペースがない場合でも、下面部７にスリット１１を形成することができる。なお、本変形例における電池１０の収容及び取り出しは、図２及び図４に示した操作と同様の操作で行うことができる。
【００３８】
次に、本発明における電池ホルダーを、ボタン電池を電源とする電子機器に装着した応用例を説明する。
【００３９】
図８は、本発明における電池ホルダーを、電池１０を電源とする照明部と一体形成した携帯照明装置の構成を示した斜視図である。
【００４０】
図８に示すように、電池ホルダーの収容室１は、照明用の光源３６が組み込まれた照明部３５と一体成形されている。照明部３５には、収容室１に設けられた電池１０の正極及び負極に接続された電極端子（弾性片）１２、１３と電気的に接続する導通板（不図示）が配設されている。これにより、照明部３５に組み込まれた光源３６に電源が供給される。また、照明部３５には、光源３６への電源の供給をオン／オフするスイッチ（不図示）が設けられている。一方、電池ホルダーの収容室１は、電池１０を収容した状態で、首かけ用紐４０の端部に設けられた保持部４１の凹部４２に着脱可能に装着される。
【００４１】
以上、本発明を好適な実施形態により説明してきたが、こうした記述は限定事項ではなく、もちろん、種々の改変が可能である。例えば、上記実施形態では、収容室１に、２個の電池を重ねて収容した例を説明したが、収容室１に収容する電池１０の個数は、特に制限されず、１個でもよい。また、突出部４ａは、第１の側面部４の肉厚を厚くした構成を例に説明したが、これに限定されず、第１の側面部４の内壁に、所定の厚みの部材を取り付けたものであってもよい。また、可撓部５ａは、第２の側面部５に一対の切り欠き２０を形成した構成を例に説明したが、これに限定されず、収容室１の外方、内方に弾力的に変形する構成のものであればよく、また、第２の側面部５と別材料のものであってもよい。また、本発明における「電池ホルダー」は、電池１０を収容する収容室１以外に、電子機器等の他の部品が一体化されたものも含む。
【産業上の利用可能性】
【００４２】
本発明は、電子機器の電源として用いられるボタン電池を収容する電池ホルダーに有用である。
【符号の説明】
【００４３】
１      収容室 
２      開口端面 
３      第３の側面部 
４      第１の側面部 
４ａ    突出部 
５      第２の側面部 
５ａ    可撓部 
６      上面部 
７      下面部 
１０    電池 
１１    スリット 
１１ａ  スリットの端部 
１２    弾性片 
１２ａ  付勢箇所 
１３    弾性片 
２０    切り欠き
３０    治具 
３５    照明部 
３６    光源 
４０    首かけ用紐 
４１    保持部 
４２    凹部 
【図１】
2015170517.tif 000003
【図２】
2015170517.tif 000004
【図３】
2015170517.tif 000005
【図４】
2015170517.tif 000006
【図５】
2015170517.tif 000007
【図６】
2015170517.tif 000008
【図７】
2015170517.tif 000009
【図８】
2015170517.tif 000010